(57)【要約】【課題】  モード分散がほとんどなく、広い伝送帯域幅を有する光伝送路およびこれを用いた光ＬＡＮを提供する。【解決手段】  異なる屈折率プロファイルを有する被補償ファイバと、モード分散補償ファイバとが少なくとも接続されてなる光伝送路であって、被補償ファイバの屈折率プロファイルに対するモード分散補償ファイバの屈折率プロファイルは、下記の式（１）を満足するものであり、モード分散補償ファイバのコア中心からの距離ｒにおけるクラッドに対する比屈折率差を表すΔｃｏｍｐ（ｒ）と、補正の方法を決める定数を表すω（ｒ）は、下記の式（２）、（３）を満足するものとする。【数１】2005181520.tif 000014【数２】2005181520.tif 000015【数３】2005181520.tif 000016【選択図】        図３
2005181520.tif 000002
【特許請求の範囲】
【請求項１】
異なる屈折率プロファイルを有する被補償ファイバと、モード分散補償ファイバとが少なくとも接続されてなる光伝送路であって、
前記被補償ファイバの屈折率プロファイルに対する前記モード分散補償ファイバの屈折率プロファイルは、下記の式（１）を満足するものであり、前記モード分散補償ファイバのコア中心からの距離ｒにおけるクラッドに対する比屈折率差を表すΔｃｏｍｐ（ｒ）と、補正の方法を決める式を表すω（ｒ）は、下記の式（２）、（３）を満足することを特徴とする光伝送路。
【数１】
2005181520.tif 000011
ただし、ｎ（ｒ）は光ファイバのコア中心からの距離ｒにおける屈折率、ｎ１はコア中心における屈折率、Δはクラッドに対するコア中心の比屈折率差、ａはコア半径、αは屈折率分布次数をそれぞれ表す。
【数２】
2005181520.tif 000012
ただし、Δｃｏｍｐ（ｒ）はモード分散補償ファイバのコア中心からの距離ｒにおけるクラッドに対する比屈折率差、Δｔａｒｇｅｔ（ｒ）は被補償ファイバのコア中心からの距離ｒにおけるクラッドに対する比屈折率差、Δｏｐｔ（ｒ）は単独で使用された場合、所定波長において最大伝送帯域幅が得られるようなファイバの中心からの距離ｒにおけるクラッドに対する比屈折率差、ｂはモード分散補償ファイバに対する被補償ファイバの長さ比をそれぞれ表す。
【数３】
2005181520.tif 000013
ただし、βは定数を表す。
【請求項２】
上記の式（２）、（３）において、β＝１、０．１≦ｃ≦０．８であることを特徴とする請求項１に記載の光伝送路。
【請求項３】
上記の式（２）において、１≦ｂ≦５０とすると、波長０．８５μｍ〜１．３μｍにおける伝送帯域幅が４ＧＨｚ・ｋｍを超えることを特徴とする請求項１または２に記載の光伝送路。
【請求項４】
請求項１ないし３のいずれか１項に記載の光伝送路を用いてなることを特徴とする光ＬＡＮ。
【発明の詳細な説明】
【技術分野】
【０００１】
本発明は、マルチモードファイバと、そのモード分散を補償するモード分散補償ファイバとを備えた光伝送路およびこれを用いた光ＬＡＮに関するものである。
【背景技術】
【０００２】
マルチモードファイバのうち、グレーテッドインデックス（Ｇｒａｄｅｄ  Ｉｎｄｅｘ）型マルチモードファイバ（以下、「ＧＩマルチモードファイバ」と略す。）は、コアにゲルマニウム（Ｇｅ）などのドーパントを添加し、屈折率を純粋石英よりも上昇させて、屈折率（Ｉｎｄｅｘ）がコアの中心において最も高く、コアとクラッドとの境界に向かって、コアの中心からの距離の増加に従って連続的に減少するように形成されたものである。
【０００３】
このような構成とすることにより、ＧＩマルチモードファイバは、信号光の各モードの到達時間が揃うようにされ、モード分散が小さく、広い伝送帯域幅が得られるようになっている。このＧＩマルチモードファイバは、広い伝送帯域幅が得られるため、ＬＡＮなどの光伝送路に用いることによって、伝送レートの高速化が可能となる。
【０００４】
ＧＩマルチモードファイバの伝送帯域幅は屈折率プロファイルによって決定されるため、この屈折率プロファイルを精密に形成する必要がある。そのため、ＧＩマルチモードファイバにおける屈折率プロファイルの誤差の許容範囲は、非常に狭いものとなる。その結果として、歩留まり良く製造することが難しい上に、製造コストが高くなる。さらには、安定して一定の屈折率プロファイルを形成することが難しく、目的とする広い伝送帯域幅が得られ難い。
【０００５】
また、最大の伝送帯域幅が得られる屈折率プロファイルは信号光の波長によって異なるため、既設のＧＩマルチモードファイバを備えた光伝送路を利用し、この光伝送路の仕様とは異なる波長帯域の信号光を伝搬する場合などでは、広い伝送帯域幅が得られない。
【０００６】
上述したようにＧＩマルチモードファイバの屈折率プロファイルが目的とする形状とならず、広い伝送帯域幅が得られない場合、図６に示すように、ＧＩマルチモードファイバ（被補償ファイバ）と、このＧＩマルチモードファイバとは異なる屈折率プロファイルを有するＧＩマルチモードファイバ（モード分散補償ファイバ）とを接続することによって、モード分散が補償されることが知られている。
【０００７】
従来、このようにモード分散補償ファイバを用いてＧＩマルチモードファイバのモード分散を補償する場合、被補償ファイバの屈折率プロファイルに対するモード分散補償ファイバの屈折率プロファイルを以下の方法によって算出している（例えば、特願２００３−８３７９１号参照。）。
【０００８】
まず、被補償ファイバの屈折率プロファイルと、モード分散補償ファイバの屈折率プロファイルとを下記の式（１）によって近似して各々の屈折率分布次数αを算出する。
【０００９】
【数１】
2005181520.tif 000003
【００１０】
ただし、ｎ（ｒ）は光ファイバのコア中心からの距離ｒにおける屈折率、ｎ１はコア中心における屈折率、Δはクラッドに対するコア中心の比屈折率差、ａはコア半径、αは屈折率分布次数をそれぞれ表す。
【００１１】
そして、それぞれの屈折率分布次数αを用いて、下記の式（２）を満たすように、モード分散補償ファイバの屈折率プロファイルをシミュレーションにより算出する。この計算によって得られた、使用する信号光の波長において最大の伝送帯域幅が得られる屈折率プロファイル、被補償ファイバの屈折率プロファイルおよびモード分散補償ファイバの屈折率プロファイルの一例を、図７に示す。
【００１２】
【数２】
2005181520.tif 000004
【００１３】
ただし、Δｃｏｍｐ（ｒ）はモード分散補償ファイバのコア中心からの距離ｒにおけるクラッドに対する比屈折率差、Δｔａｒｇｅｔ（ｒ）は被補償ファイバのコア中心からの距離ｒにおけるクラッドに対する比屈折率差、Δｏｐｔ（ｒ）は単独で使用された場合、所定波長において最大伝送帯域幅が得られるようなファイバの中心からの距離ｒにおけるクラッドに対する比屈折率差、ｂはモード分散補償ファイバに対する被補償ファイバの長さ比をそれぞれ表す。
【００１４】
上記の式（２）を用いれば、必要とされるモード分散補償ファイバの長さは、被補償ファイバの長さの１／ｂとなるため、ｂを大きくすれば、モード分散補償ファイバの長さを短くすることができる。
【００１５】
しかしながら、ｂを非常に大きくすると、光伝送路全体における伝送帯域幅が減少し、極めて長さの短いモード分散補償ファイバでは、被補償ファイバを補償することができなくなる。
【００１６】
図８は、被補償ファイバとモード分散補償ファイバとが接続されてなる光伝送路において、伝送帯域幅と、モード分散補償ファイバの長さとの関係を示すグラフである。ここでは、波長０．８５μｍで最適化され、上記の式（１）において、Δ＝０．０１、ａ＝２５μｍ、α＝２．０４である被補償ファイバ１ｋｍを波長１．３μｍで使用した場合を示している。
【００１７】
このように、ｂが大きくなるにしたがって、被補償ファイバのモード分散補償に必要とされるモード分散補償ファイバの長さは短くなっていくが、これにともなって光伝送路の伝送帯域幅が狭くなってしまうという問題があった。
【発明の開示】
【発明が解決しようとする課題】
【００１８】
本発明は、前記事情に鑑みてなされたもので、モード分散がほとんどなく、広い伝送帯域幅を有する光伝送路およびこれを用いた光ＬＡＮを提供することを目的とする。
【課題を解決するための手段】
【００１９】
本発明は、上記課題を解決するために、異なる屈折率プロファイルを有する被補償ファイバと、モード分散補償ファイバとが少なくとも接続されてなる光伝送路であって、前記被補償ファイバの屈折率プロファイルに対する前記モード分散補償ファイバの屈折率プロファイルは、下記の式（１）を満足するものであり、前記モード分散補償ファイバのコア中心からの距離ｒにおけるクラッドに対する比屈折率差を表すΔｃｏｍｐ（ｒ）と、補正の方法を決める式を表すω（ｒ）は、下記の式（３）、（４）を満足する光伝送路を提供する。
【００２０】
【数３】
2005181520.tif 000005
【００２１】
ただし、ｎ（ｒ）は光ファイバのコア中心からの距離ｒにおける屈折率、ｎ１はコア中心における屈折率、Δはクラッドに対するコア中心の比屈折率差、ａはコア半径、αは屈折率分布次数をそれぞれ表す。
【００２２】
【数４】
2005181520.tif 000006
【００２３】
ただし、Δｃｏｍｐ（ｒ）はモード分散補償ファイバのコア中心からの距離ｒにおけるクラッドに対する比屈折率差、Δｔａｒｇｅｔ（ｒ）は被補償ファイバのコア中心からの距離ｒにおけるクラッドに対する比屈折率差、Δｏｐｔ（ｒ）は単独で使用された場合、所定波長において最大伝送帯域幅が得られるようなファイバの中心からの距離ｒにおけるクラッドに対する比屈折率差、ｂはモード分散補償ファイバに対する被補償ファイバの長さ比をそれぞれ表す。
【００２４】
【数５】
2005181520.tif 000007
【００２５】
ただし、βは定数を表す。
【００２６】
上記構成の光伝送路は、上記の式（３）、（４）において、β＝１、０．１≦ｃ≦０．８であることが好ましい。
【００２７】
上記構成の光伝送路は、上記の式（３）において、１≦ｂ≦５０とすると                、波長０．８５μｍ〜１．３μｍにおける伝送帯域幅が４ＧＨｚ・ｋｍを超えることが好ましい。
【００２８】
また、本発明は、上記の光伝送路を用いてなる光ＬＡＮを提供する。
【発明の効果】
【００２９】
本発明の光伝送路は、所望の光学特性が得られていない光ファイバに、屈折率プロファイルを調整したモード分散補償ファイバを接続してなるものであるから、所望の光学特性が得られる。これにより、製造歩留まりや、製造コストを大幅に下げることができる。また、本発明の光伝送路は、敷設済みのＧＩマルチモードファイバに、屈折率プロファイルを調整したモード分散補償ファイバを接続してなるものとすることも可能で、このような構成により、広い伝送帯域幅が得られ、高速通信に対応した光伝送路とすることもできる。さらに、本発明の光伝送路では、被補償ファイバのモード分散を効率良く、かつ精度良く補償でき、広い伝送帯域幅を有する光伝送路を実現できる。
【００３０】
本発明の光ＬＡＮは、本発明の光伝送路を用いてなるものであるから、広い伝送帯域幅が得られ、高速通信に対応したものである。
【発明を実施するための最良の形態】
【００３１】
以下、本発明を実施した光伝送路について、図面を参照して説明する。
まず、ＧＩマルチモードファイバの屈折率プロファイルと、そのＧＩマルチモードファイバを伝搬した信号光の各伝搬モードにおける到達時間について説明する。
伝搬モードのうち低次モードは、コアの中心で光強度が最大となるようにコア中心付近を伝搬する。これに対して高次モードは、光強度の分布がコアの中心から離れた点で最大となるように伝搬するため、コアとクラッドの境界部を小さな角度で全反射して伝搬することとなり、低次モードに比べて伝搬経路は長くなる。
【００３２】
ＧＩマルチモードファイバの屈折率プロファイルは、コア中心において最大屈折率を有し、半径が大きくなるにつれて屈折率が徐々に低下するような形状であるため、低次モードで伝搬する信号光は、伝搬経路は短いが、遅い速度で伝搬することになる。これに対して、高次モードで伝搬する信号光は、伝搬経路は長いが、コアの外周付近では屈折率が小さく、速い速度で伝搬することになる。
このため、屈折率プロファイルを調整することによって、ＧＩマルチモードファイバでは、各モードで伝搬した信号光の出力端での到達時間が揃うようにすることができる。このときモード分散は理論上最小となり、信号光の波長における最大の伝送帯域幅を実現できる。
【００３３】
ＧＩマルチモードファイバでは、屈折率プロファイルが、所定波長の信号光において最大の伝送帯域幅が得られる屈折率プロファイルと異なる場合、その屈折率プロファイルの差によって、低次モードで伝搬する信号光と高次モードで伝搬する信号光の出力端における到達時間に差が生じ、これによりモード分散が発生する。
【００３４】
この実施形態では、所定波長の信号光において最大の伝送帯域幅が得られる屈折率プロファイルとは異なる屈折率プロファイルを有するＧＩマルチモードファイバを被補償ファイバとし、この被補償ファイバに、所定の屈折率プロファイルを有するように形成されたＧＩマルチモードファイバからなるモード分散補償ファイバを接続して、被補償ファイバのモード分散を補償し、広い伝送帯域幅が得られるようにする。
【００３５】
図１は、この実施形態における被補償ファイバとモード分散補償ファイバの屈折率プロファイル、および使用する信号光の波長において最大の伝送帯域幅が得られる屈折率プロファイルの一例を示す概略図である。
【００３６】
図１において、被補償ファイバのコア中心からの距離ｒにおける比屈折率差をΔｔａｒｇｅｔ（ｒ）、モード分散補償ファイバのコア中心からの距離ｒにおける比屈折率差をΔｃｏｍｐ（ｒ）とする。また、信号光の波長において最大の帯域が得られる屈折率プロファイルでのコア中心からの距離ｒにおける比屈折率差をΔｏｐｔ（ｒ）とする。このΔｏｐｔ（ｒ）は、シミュレーションにより算出された計算値である。
【００３７】
上述したようにΔｔａｒｇｅｔ（ｒ）とΔｏｐｔ（ｒ）との差によって、被補償ファイバを伝搬する信号光の高次モードと低次モードの到達時間に差が生じる。この高次モードと低次モードとの到達時間の相対差は、Δｔａｒｇｅｔ（ｒ）とΔｏｐｔ（ｒ）との差に比例した値となる。
【００３８】
そこで、この実施形態では、Δｃｏｍｐ（ｒ）とΔｏｐｔ（ｒ）との差が、Δｔａｒｇｅｔ（ｒ）とΔｏｐｔ（ｒ）との差に対して符号が逆となるΔｃｏｍｐ（ｒ）を有するＧＩマルチモードファイバをモード分散補償ファイバとする。これにより、モード分散補償ファイバを伝搬する信号光の高次モードと低次モードとの到達時間の相対差の符号が、被補償ファイバを伝搬する信号光の高次モードと低次モードとの到達時間の相対差の符号と逆になるようにする。
【００３９】
また、異なる２本の光ファイバを接続してなる光伝送路において、伝送帯域幅が狭くなる原因としては、モード分散補償ファイバの屈折率プロファイルが、被補償ファイバの屈折率プロファイルから大きくずれるところにある。
【００４０】
図２は、モード分散補償ファイバおよび被補償ファイバの各モードにおける群屈折率を示すグラフである。図２において、横軸はｍ＋２ｎで定義される主モード番号、縦軸はモード群屈折率を表す。ただし、ｍ、ｎはそれぞれＬＰモードの方位方向、径方向のモード番号である。
【００４１】
図２に示すように、被補償ファイバのモード分散を表す曲線はほぼ直線状をなしている。したがって、このような被補償ファイバの各モードの分散を補償するためには、モード分散補償ファイバのモード分散を表す曲線はほぼ直線状をなし、かつ、その直線の傾斜率の符号が被補償ファイバと反対になることが望ましい。図２において、ｂ＝５の場合には、モード分散補償ファイバのモード分散を表す曲線はほぼ直線状をなし、かつ、その直線の傾斜率の符号が被補償ファイバと反対になっている。しかしながら、ｂ＝２０の場合には、同じ主モード番号のモード間でも分散が生じ、モード分散補償ファイバのモード分散を表す曲線は直線状をなさない。
【００４２】
この実施形態では、このようなモード分散を補償するために、被補償ファイバの屈折率プロファイルに対するモード分散補償ファイバの屈折率プロファイルを以下の方法によって算出する。
【００４３】
まず、被補償ファイバの屈折率プロファイルと、モード分散補償ファイバの屈折率プロファイルとを下記の式（１）によって近似して、被補償ファイバとモード分散補償ファイバの屈折率分布次数αをそれぞれ算出する。
【００４４】
【数６】
2005181520.tif 000008
【００４５】
ただし、ｎ（ｒ）は光ファイバのコア中心からの距離ｒにおける屈折率、ｎ１はコア中心における屈折率、Δはクラッドに対するコア中心の比屈折率差、ａはコア半径、αは屈折率分布次数をそれぞれ表す。
【００４６】
そして、それぞれの屈折率分布次数αを用いて、下記の式（３）、（４）を満たすように、モード分散補償ファイバの屈折率プロファイルをシミュレーションにより算出する。
【００４７】
【数７】
2005181520.tif 000009
【００４８】
【数８】
2005181520.tif 000010
【００４９】
ただし、ｃ、βは定数である。βは補正の関数形を決めるが、ｃは補正の方法を決める。ｃ＜１の場合、モード分散補償ファイバの中心からの距離が大きい領域におけるモード分散補償の重みを減らしている。一方、ｃ＞１の場合、モード分散補償ファイバの中心からの距離が大きい領域におけるモード分散補償の重みを増している。また、ｃ＝１の場合、上記の式（３）は上記の式（２）と一致する。
【００５０】
以上により本実施形態では、モード分散補償ファイバの屈折率プロファイルを上述した式（３）、（４）により算出し、モード分散補償ファイバと被補償ファイバとを接続して、モード分散補償ファイバで被補償ファイバを補償した光伝送路を構成する。
【００５１】
これにより、被補償ファイバの経路を伝搬した信号光の低次モードと高次モードとの到達時間の相対差の絶対値と、モード分散補償ファイバの経路を伝搬した信号光の低次モードと高次モードとの到達時間の相対差の絶対値が一致することになり、被補償ファイバのモード分散が補償され、広い伝送帯域幅を実現できる。
【００５２】
この実施形態では、上記の式（３）、（４）において、β＝１、０．１≦ｃ≦０．８であることが好ましい。
【００５３】
また、この実施形態の光伝送路は、上記の式（３）において、１≦ｂ≦５０とすると、波長０．８５μｍ〜１．３μｍにおける伝送帯域幅が４ＧＨｚ・ｋｍを超えるものである。したがって、この実施形態の光伝送路は、波長０．８５μｍ〜１．３μｍにおいて、伝送速度が高く、波長分割多重伝送を可能とする光伝送路である。
【００５４】
また、この実施形態の光伝送路に、コンピュータやその関連機器などを接続することによって、光ＬＡＮとすることができる。この実施形態の光伝送路は伝送帯域幅が広いため、伝送レートの高速化が可能な光ＬＡＮを実現できる。これにより、例えば１０ＧｂＥのように通信速度が１０Ｇｂ／ｓのイーサネット（登録商標）を実現できる。
【００５５】
以下、具体例により本発明をさらに具体的に説明するが、本発明は以下の具体例に限定されるものではない。
【００５６】
（具体例１）
波長０．８５μｍで最適化された被補償ファイバと、モード分散補償ファイバとを接続して光伝送路を作製した。被補償ファイバとしては、長さ１ｋｍ、Δ＝０．０１、ａ＝２５μｍ、波長０．８５μｍにおけるαの最適値αｏｐｔ＝２．０４、波長１．３μｍにおけるαの最適値αｏｐｔ＝１．９４のＧＩマルチモードファイバを用いた。また、モード分散補償ファイバが、被補償ファイバの２０分の１の長さで、被補償ファイバを補償することを目標として、上記の式（３）において、ｂ＝２０とした。
上記の式（４）において、β＝１とし、ｃを変化させて、光伝送路の伝送帯域幅とモード分散補償ファイバの長さとの関係を調べた。なお、この例では、中心波長１．３μｍ、スペクトル半値全幅１．０ｎｍ、パルス幅０．０５ｎｓ、スポット半値全幅５．０μｍの光パルスを、光伝送路に入射した場合の伝送帯域幅を示した。結果を図３に示す。
【００５７】
図３の結果から、β＝１の場合、ｃ＝０．５で光伝送路の伝送帯域幅が最大となることが確認された。
【００５８】
（具体例２）
波長０．８５μｍで最適化された被補償ファイバと、モード分散補償ファイバとを接続して光伝送路を作製した。被補償ファイバとしては、長さ１ｋｍ、Δ＝０．０１、ａ＝２５μｍ、波長０．８５μｍにおけるαの最適値αｏｐｔ＝２．０４、波長１．３μｍにおけるαの最適値αｏｐｔ＝１．９４のＧＩマルチモードファイバを用いた。また、モード分散補償ファイバが、被補償ファイバの２０分の１の長さで、被補償ファイバを補償することを目標として、上記の式（３）において、ｂ＝２０とした。
上記の式（４）において、β＝５とし、ｃを変化させて、光伝送路の伝送帯域幅とモード分散補償ファイバの長さとの関係を調べた。なお、この例では、中心波長１．３μｍ、スペクトル半値全幅１．０ｎｍ、パルス幅０．０５ｎｓ、スポット半値全幅５．０μｍの光パルスを、光伝送路に入射した場合の伝送帯域幅を示した。結果を図４に示す。
【００５９】
図４の結果から、β＝５の場合、ｃ＝１．４で光伝送路の伝送帯域幅が最大となることが確認された。
【００６０】
（具体例３）
波長０．８５μｍで最適化された被補償ファイバと、モード分散補償ファイバとを接続して光伝送路を作製した。被補償ファイバとしては、長さ１ｋｍ、Δ＝０．０１、ａ＝２５μｍ、波長０．８５μｍにおけるαの最適値αｏｐｔ＝２．０４、波長１．３μｍにおけるαの最適値αｏｐｔ＝１．９４のＧＩマルチモードファイバを用いた。
上記の式（４）において、β＝１とし、ｂを変化させて、そのとき、最大伝送帯域幅が得られるｃの値を使用した場合の光伝送路の伝送帯域幅とモード分散補償ファイバの長さとの関係を調べた。なお、この例では、中心波長１．３μｍ、スペクトル半値全幅１．０ｎｍ、パルス幅０．０５ｎｓ、スポット半値全幅５．０μｍの光パルスを、光伝送路に入射した場合の伝送帯域幅を示した。結果を図５に示す。
【００６１】
図５の結果から、ｂが大きくなるにしたがって、被補償ファイバのモード分散補償に必要とされるモード分散補償ファイバの長さが短くなっても、光伝送路の伝送帯域幅を広くすることができることが確認された。ｂ＝５０のように、被補償ファイバに対するモード分散補償の長さが非常に短い場合にも、十分な伝送帯域幅が確保できることが確認された。
【産業上の利用可能性】
【００６２】
本発明の光伝送路は、コンピュータ間の情報にも適用可能である。
【図面の簡単な説明】
【００６３】
【図１】被補償ファイバとモード分散補償ファイバの屈折率プロファイル、および使用する信号光の波長において最大の伝送帯域幅が得られる屈折率プロファイルの一例を示す概略図である。
【図２】モード分散補償ファイバおよび被補償ファイバの各モードにおける群屈折率を示すグラフである。
【図３】光伝送路の伝送帯域幅とモード分散補償ファイバの長さとの関係を示すグラフである。
【図４】光伝送路の伝送帯域幅とモード分散補償ファイバの長さとの関係を示すグラフである。
【図５】光伝送路の伝送帯域幅とモード分散補償ファイバの長さとの関係を示すグラフである。
【図６】被補償ファイバとモード分散補償ファイバの屈折率プロファイル、および使用する信号光の波長において最大の伝送帯域幅が得られる屈折率プロファイルの一例を示す概略図である。
【図７】被補償ファイバとモード分散補償ファイバとを接続してなる光伝送路を示す概略構成図である。
【図８】被補償ファイバとモード分散補償ファイバとが接続されてなる光伝送路において、伝送帯域幅と、モード分散補償ファイバの長さとの関係を示すグラフである。
【図１】
2005181520.tif 000017
【図２】
2005181520.tif 000018
【図３】
2005181520.tif 000019
【図４】
2005181520.tif 000020
【図５】
2005181520.tif 000021
【図６】
2005181520.tif 000022
【図７】
2005181520.tif 000023
【図８】
2005181520.tif 000024